【手続補正書】
【提出日】平成22年3月5日(2010.3.5)
【手続補正１】
【補正対象書類名】特許請求の範囲
【補正対象項目名】全文
【補正方法】変更
【補正の内容】
【特許請求の範囲】
【請求項１】
所定の伝送ビットレートの入力データを変調し、送信する送信ＦＰＵ（Field Pickup Unit）装置と、
該送信ＦＰＵ装置からの送信データを受信し、復調して該所定の伝送ビットレートのデータを出力する受信ＦＰＵ装置と、
該送信ＦＰＵ装置の前段に付加され、該所定の伝送ビットレートより低い第１のレートのデータを入力して該所定の伝送ビットレートのデータにレート変換し、該送信ＰＵ装置に供給する送信アダプタ装置と、
該受信ＦＰＵ装置の後段に付加され、該受信ＦＰＵ装置から出力される該所定の伝送ビットレートの受信データを該第１のレートのデータにレート変換する受信アダプタ装置と
を含むデジタルデータ伝送システムであって、
該送信アダプタ装置は、レート変換した該データの各パケットに該レート変換の際に用いられるクロックの位相を規定するフラグを挿入し、
該受信アダプタ装置は、入力される該受信データから抽出した該フラグで位相を規定したクロックを用いて、入力された該受信データを該第１のレートのデータにレート変換する
ことを特徴とするデジタルデータ伝送システム。
【請求項２】
請求項１において、
前記送信アダプタ装置は、さらに、前記レート変換された送信データのパケットのスペースにＮＵＬＬパケットを追加して連続したＴＳ（Transport Stream）とするとともに、該ＮＵＬＬパケットにＮＵＬＬパケットであることを示すＰＩＤ（Packet IDentifier）を付加し、
前記受信アダプタ装置は、さらに、受信したデータの前記レート変換に際し、該ＰＩＤをもとに、追加された該ＮＵＬＬパケットを削除する
ことを特徴とするデジタルデータ伝送システム。
【請求項３】
所定の伝送ビットレートの送信データを変調して送信する送信ＦＰＵ（Field Pickup Unit）装置の前段に付加され、該所定の伝送ビットレートより低いレートの送信データを入力して該所定の伝送ビットレートの送信データにレート変換し、該送信ＦＰＵ装置に供給する送信アダプタ装置であって、
該レート変換した送信データの各パケットに、該レート変換に際して用いたクロックの位相を規定するフラグを付加することを特徴とする送信アダプタ装置。
【請求項４】
所定の伝送ビットレートの受信データを出力する受信ＦＰＵ（Field Pickup Unit）装置の後段に付加され、該受信ＦＰＵ装置からの該所定の伝送ビットレートの受信データを該所定の伝送ビットレートより低いレートのデータにレート変換する受信アダプタ装置であって、
該受信ＦＰＵ装置からの該受信データに含まれる該レート変換で用いるクロックの位相を規定するフラグを抽出して該クロックを位相を規定し、位相が規定された該クロックを用いて該受信データを該レート変換することを特徴とする受信アダプタ装置。
【手続補正２】
【補正対象書類名】明細書
【補正対象項目名】００２４
【補正方法】変更
【補正の内容】
【００２４】
上記目的を達成するために、本発明によるデジタルデータ伝送システムは、所定の伝送ビットレートの入力データを変調し、送信する送信ＦＰＵ装置と、送信ＦＰＵ装置からの送信データを受信し、復調して所定の伝送ビットレートのデータを出力する受信ＦＰＵ装置と、送信ＦＰＵ装置の前段に付加され、所定の伝送ビットレートより低い第１のレートのデータを入力して所定の伝送ビットレートのデータにレート変換し、送信ＰＵ装置に供給する送信アダプタ装置と、受信ＦＰＵ装置の後段に付加され、受信ＦＰＵ装置から出力される所定の伝送ビットレートの受信データを第１のレートのデータにレート変換する受信アダプタ装置とを含み、送信アダプタ装置が、レート変換したデータの各パケットにレート変換の際に用いられるクロックの位相を規定するフラグを挿入し、受信アダプタ装置が、入力される受信データから抽出したフラグで位相を規定したクロックを用いて、入力された受信データを第１のレートのデータにレート変換することを特徴とするものである。
【手続補正３】
【補正対象書類名】明細書
【補正対象項目名】００２５
【補正方法】変更
【補正の内容】
【００２５】
また、本発明によるデジタルデータ伝送システムは、送信アダプタ装置が、さらに、レート変換された送信データのパケットのスペースにＮＵＬＬパケットを追加して連続したＴＳとするとともに、ＮＵＬＬパケットにＮＵＬＬパレットであることを示すＰＩＤを付加し、受信アダプタ装置は、さらに、受信されたデータのレート変換に際し、ＰＩＤをもとに、追加されたＮＵＬＬパケットを削除することを特徴とするものである。
【手続補正４】
【補正対象書類名】明細書
【補正対象項目名】００２６
【補正方法】変更
【補正の内容】
【００２６】
上記目的を達成するために、本発明による送信側アダプタ装置は、所定の伝送ビットレートの送信データを変調して送信する送信ＦＰＵ装置の前段に付加され、所定の伝送ビットレートより低いレートの送信データを入力して所定の伝送ビットレートの送信データにレート変換し、送信ＦＰＵ装置に供給するものであって、レート変換した送信データの各パケットに、レート変換に際して用いたクロックの位相を規定するフラグを付加することを特徴とするものである。
【手続補正５】
【補正対象書類名】明細書
【補正対象項目名】００２７
【補正方法】変更
【補正の内容】
【００２７】
上記目的を達成するために、本発明による受信側アダプタ装置は、所定の伝送ビットレートの受信データを出力する受信ＦＰＵ装置の後段に付加され、受信ＦＰＵ装置からの所定の伝送ビットレートの受信データを所定の伝送ビットレートより低いレートのデータにレート変換するものであって、受信ＦＰＵ装置からの受信データに含まれるレート変換で用いるクロックの位相を規定するフラグを抽出してクロックを位相を規定し、位相が規定されたクロックを用いて受信データをレート変換することを特徴とするものである。
【手続補正６】
【補正対象書類名】明細書
【補正対象項目名】００４１
【補正方法】変更
【補正の内容】
【００４１】
ところで、32Mbpsのレートの送信データISDB-TStのＴＳパケットは、図３（ａ）に示すように、先頭に１バイトの１６進数「47」を表わす４７ｈコードが付加され、次いで、データが有効であるか、無効（NULLパケット）であるかを識別するための３バイトのＰＩＤ（Packet  IDentifier：パケットＩＤ）（有効なＴＳパケットに対しては４バイト「1FFD」、無効なＴＳパケット（NULLパケット）に対しては「1FFF」）が付加されて４バイトのヘッダを構成しており、このヘッダに放送番組のデータのＴＳやパリティデータが続く204バイトのフォーマットをなしている。また、44Mbpsのレートの送信データDATA-tのＴＳパケットは、図３（ｂ）に示すように、４７ｈコードとＰＩＤからなるヘッダに同期情報ＣやＰＬＬ分周パルス位置情報Ｂ，送信データISDB-TStのＴＳパケットの情報，パリティデータが続く204バイトのフォーマットをなしているが、かかるＴＳパケットの中には、余裕データ（図示せず）が付加されたものもあるし、また、送信データDATA-tには、NULLパケットも付加される。
【手続補正７】
【補正対象書類名】明細書
【補正対象項目名】００４６
【補正方法】変更
【補正の内容】
【００４６】
このようにして、送信データISDB-TStのＴＳパケットの情報が44Mbpsのレートに変換され、適宜のビット数に区切られて送信データDATA-tのＴＳパケットに付加されていくが、送信データISDB-TStのＴＳパケットのタイミングにより、送信データDATA-tのＴＳパケットに付加される送信データISDB-TStのＴＳパケットの情報がない場合には、余裕データを付加して１６３２ビットのＴＳパケットとする。また、送信データDATA-tのＴＳパケットの期間、送信データISDB-TStのＴＳパケットの情報を付加することができなくなった場合には、１６３２ビットのNULLパケットを付加する。